(57)【要約】【課題】容易に設置できると共に、精度高く位置決めして設置できる鋼管基礎杭のアンカーボルト設置方法とすることである。【解決手段】鋼管基礎杭２０の上端部に複数の取付治具３０を、その上端部を挟持して取付け、この取付治具３０にレベル架台４０を高さ調整して所定の高さで水平姿勢に取付ける。この後にレベル架台４０に位置決め用横材５０を位置決めして取付け、支持部材１にアンカーボルト２を設けたセットアンカー３に吊具１０を取付け、その吊具１０を吊り上げてセットアンカー３を鋼管基礎杭２０内に挿入し、その吊具１０を位置決めして位置決め用横材５０に固着することでセットアンカー３を仮固定し、この後にコンクリートを打設して固化した後に吊具１０、取付治具３０、レベル架台４０、位置決め用横材５０を取り外す。【選択図】図１３
2006002415.tif 000002
【特許請求の範囲】
【請求項１】
鋼管基礎杭２０に取付治具３０を、その上端部を挟持して取付け、この取付治具３０にレベル架台４０を取付け、そのレベル架台４０に位置決め用横材５０を取付け、
支持部材１にアンカーボルト２を設けてセットアンカー３とし、このセットアンカー３に吊具１０を着脱自在に取付け、
その吊具１０を吊り上げてセットアンカー３を鋼管基礎杭２０内に挿入して吊具１０をレベル架台４０に載置し、かつ吊具１０と位置決め用横材５０を固着することで、セットアンカー３を位置決めして仮固定し、
この後に、鋼管基礎杭２０内にコンクリートを打設してセットアンカー３を鋼管基礎杭２０内に固定し、前記吊具１０と位置決め用横材５０とレベル架台４０と取付治具３０を取り外して鋼管基礎杭２０内にアンカーボルト２を設置することを特徴とする鋼管基礎杭のアンカーボルト設置方法。
【請求項２】
取付治具３０は、Ｘ方向、Ｙ方向に位置決めして４つ取付け、
２つの取付治具３０に亘って一対のレベル架台４０を、Ｙ方向に向けて高さ調整して所定の同一高さで、水平にそれぞれ取付け、
この一対のレベル架台４０に亘って一対の位置決め用横材５０をＹ方向に位置決めして取付け、
前記レベル架台４０、位置決め用横材５０を基準として吊具１０をＸ方向、Ｙ方向に位置決めしてアンカーボルト２を高さ方向、Ｘ方向、Ｙ方向に位置決めするようにした請求項１記載の鋼管基礎杭のアンカーボルト設置方法。
【請求項３】
鋼管基礎杭２０に、その中心を通りＸ方向に向かうＸ方向通り心と合致する目印ａを設け、この目印ａにパネル定規２１のＸ方向基準線２３を合わせてパネル定規２１をＹ方向に位置決めして鋼管基礎杭２０に設け、
このパネル定規２１の一対のＹ方向基準線２４に合わせて４つの取付治具３０を取付けるようにした請求項２記載の鋼管基礎杭のアンカーボルト設置方法。
【請求項４】
アンカーボルト２の上端部２ａを吊具１０に挿通し、かつナット１６を螺合してセットアンカー３に吊具１０を着脱自在に取付けた請求項１又は２又は３記載の鋼管基礎杭のアンカーボルト設置方法。
【請求項５】
鋼管基礎杭２０の上端部を挟持する取付部３１と、この取付部３１に設けた取付用ボルト３２と、この取付用ボルト３２に螺合した下ナット３３、上ナット３４を備えた取付治具３０と、
前記取付用ボルト３２に挿通して下ナット３３に接して支持され、上ナット３４と前記下ナット３３で固定されるレベル架台４０と、
このレベル架台４０にボルト・ナットで固定される位置決め用横材５０と、
支持部材１にアンカーボルト２を設けたセットアンカー３に、着脱自在に設けられる吊具１０で構成したことを特徴とする鋼管基礎杭のアンカーボルト設置装置。
【請求項６】
Ｘ方向基準線２３とＹ方向基準線２４を有するパネル定規２１を設けた請求項５記載の鋼管基礎杭のアンカーボルト設置装置。
【請求項７】
吊具１０は、アンカーボルト２が挿通し、かつナット１６を螺合することでセットアンカー３に固着される請求項５又は６記載の鋼管基礎杭のアンカーボルト設置装置。
【発明の詳細な説明】
【技術分野】
【０００１】
本発明は、高架橋、高架鉄道、ビル等の土木建築構造物に用いられる鋼管基礎杭内にアンカーボルトを設置する方法及び装置に関する。
【背景技術】
【０００２】
土木建築構造物の鋼管柱を鋼管基礎杭にアンカーボルトを用いて接合して取付けることが特許文献１に開示されている。
すなわち、鋼管基礎杭内にアンカーボルトをコンクリートによって埋め込んで設置し、鋼管柱の脚部を鋼管基礎杭内に挿入して前述のアンカーボルトで固定し、その後に鋼管基礎杭内にコンクリートを打設して鋼管基礎杭と鋼管柱を接合して一本化することで取付けている。
【０００３】
【特許文献１】特開平５−８６６３０号公報
【発明の開示】
【発明が解決しようとする課題】
【０００４】
前述したようにアンカーボルトを鋼管基礎杭内に設置するには、アンカーボルトを打設したコンクリートで動くことがないように鋼管基礎杭内に仮固定し、その後にコンクリートを打設している。
例えば、鋼管基礎杭の内周面に支持フレームを溶接して固着し、アンカーボルトを備えたセットアンカーを支持フレームに載置して溶接して固着することでアンカーボルトを仮固定し、その後にコンクリートを打設している。
このように、従来のアンカーボルト設置方法は、溶接作業で仮固定しているから、アンカーボルトの設置作業が面倒である。
【０００５】
前述のようにして鋼管柱を取付ける場合には、その鋼管柱の取付け位置精度はアンカーボルトの設置位置精度によって決定されるので、アンカーボルトを精度高く位置決めして設置する必要がある。
しかしながら、前述のように狭隘な鋼管基礎杭内で溶接によってアンカーボルトを仮固定しているので、そのアンカーボルトを精度高く位置決めして仮固定することは大変困難であり、アンカーボルトを精度高く位置決めして設置することは事実上不可能であった。
【０００６】
本発明の目的は、アンカーボルトの設置作業が容易であると共に、アンカーボルトを精度高く位置決めして設置できるようにした鋼管基礎杭のアンカーボルト設置方法及びアンカーボルト設置装置を提供することである。
【課題を解決するための手段】
【０００７】
第１の発明は、鋼管基礎杭２０に取付治具３０を、その上端部を挟持して取付け、この取付治具３０にレベル架台４０を取付け、そのレベル架台４０に位置決め用横材５０を取付け、
支持部材１にアンカーボルト２を設けてセットアンカー３とし、このセットアンカー３に吊具１０を着脱自在に取付け、
その吊具１０を吊り上げてセットアンカー３を鋼管基礎杭２０内に挿入して吊具１０をレベル架台４０に載置し、かつ吊具１０と位置決め用横材５０を固着することで、セットアンカー３を位置決めして仮固定し、
この後に、鋼管基礎杭２０内にコンクリートを打設してセットアンカー３を鋼管基礎杭２０内に固定し、前記吊具１０と位置決め用横材５０とレベル架台４０と取付治具３０を取り外して鋼管基礎杭２０内にアンカーボルト２を設置することを特徴とする鋼管基礎杭のアンカーボルト設置方法である。
【０００８】
第２の発明は、第１の発明において、取付治具３０は、Ｘ方向、Ｙ方向に位置決めして４つ取付け、
２つの取付治具３０に亘って一対のレベル架台４０を、Ｙ方向に向けて高さ調整して所定の同一高さで、水平にそれぞれ取付け、
この一対のレベル架台４０に亘って一対の位置決め用横材５０をＹ方向に位置決めして取付け、
前記レベル架台４０、位置決め用横材５０を基準として吊具１０をＸ方向、Ｙ方向に位置決めしてアンカーボルト２を高さ方向、Ｘ方向、Ｙ方向に位置決めするようにしたアンカーボルト設置方法である。
【０００９】
第３の発明は、第２の発明において、鋼管基礎杭２０に、その中心を通りＸ方向に向かうＸ方向通り心と合致する目印ａを設け、この目印ａにパネル定規２１のＸ方向基準線２３を合わせてパネル定規２１をＹ方向に位置決めして鋼管基礎杭２０に設け、
このパネル定規２１の一対のＹ方向基準線２４に合わせて４つの取付治具３０を取付けるようにしたアンカーボルト設置方法である。
【００１０】
第４の発明は、第１又は第２又は第３の発明において、アンカーボルト２の上端部２ａを吊具１０に挿通し、かつナット１６を螺合してセットアンカー３に吊具１０を着脱自在に取付けた鋼管基礎杭のアンカーボルト設置方法である。
【００１１】
第５の発明は、鋼管基礎杭２０の上端部を挟持する取付部３１と、この取付部３１に設けた取付用ボルト３２と、この取付用ボルト３２に螺合した下ナット３３、上ナット３４を備えた取付治具３０と、
前記取付用ボルト３２に挿通して下ナット３３に接して支持され、上ナット３４と前記下ナット３３で固定されるレベル架台４０と、
このレベル架台４０にボルト・ナットで固定される位置決め用横材５０と、
支持部材１にアンカーボルト２を設けたセットアンカー３に、着脱自在に設けられる吊具１０で構成したことを特徴とする鋼管基礎杭のアンカーボルト設置装置である。
【００１２】
第６の発明は、第５の発明において、Ｘ方向基準線２３とＹ方向基準線２４を有するパネル定規２１を設けた鋼管基礎杭のアンカーボルト設置装置である。
【００１３】
第７の発明は、第５又は第６の発明において、吊具１０は、アンカーボルト２が挿通し、かつナット１６を螺合することでセットアンカー３に固着される鋼管基礎杭のアンカーボルト設置装置である。
【発明の効果】
【００１４】
請求項１に係る発明によれば、取付治具３０を鋼管基礎杭２０に簡単に取付け、取り外しできるし、支持部材１にアンカーボルト２を設けたセットアンカー３に吊具１０を取付け、その吊具１０で吊り上げ、吊り下げてセットアンカー３を鋼管基礎杭２０内に挿入し、その鋼管基礎杭２０よりも上方において吊具１０をレベル架台４０、位置決め用横材５０によってＸ方向、Ｙ方向に位置決めできる。
よって、アンカーボルト２の設置作業が容易であると共に、アンカーボルト２を精度高く位置決めして設置できる。
【００１５】
請求項２に係る発明によれば、一対のベルト架台４０、一対の位置決め用横材５０を基準としてアンカーボルト２をＸ方向、Ｙ方向に位置決めできるし、一対のベルト架台４０によって高さ方向に位置決めできる。
【００１６】
請求項３に係る発明によれば、パネル定規２１を用いて取付治具３０をＸ方向、Ｙ方向に位置決めして取付けできる。
【００１７】
請求項４に係る発明によれば、アンカーボルト２を利用してセットアンカー３に吊具１０を取付けできる。
【００１８】
請求項５に係る発明によれば、取付治具３０を簡単に鋼管基礎杭２０に取付けできるし、その取付治具３０にレベル架台４０を高さ調整して取付けできる。
そして、セットアンカー３を吊具１０を介して吊り上げることで鋼管基礎杭２０内に挿入し、そのレベル架台４０とレベル架台４０に取付けた位置決め用横材５０で吊具１０を位置決めし、その吊具１０を位置決め用横材５０に固着することによって、セットアンカー３を位置決めして仮固定できる。
よって、アンカーボルト２の設置作業が容易であると共に、アンカーボルト２を精度高く位置決めして設置できる。
【００１９】
請求項６に係る発明によれば、パネル定規２１を用いて取付治具３０を位置決めできる。
【００２０】
請求項７に係る発明によれば、アンカーボルト２を利用してセットアンカー３に吊具１０を取付けでき、吊具１０を取付けるためのボルト等が不要で、構造が簡単である。
【発明を実施するための最良の形態】
【００２１】
アンカーボルト設置装置について説明する。
図１と図２と図３に示すように、支持部材１にアンカーボルト２を固着してセットアンカー３としてある。
前記支持部材１は、上枠体４と下枠体５を縦材６で連結してある。この上枠体４と下枠体５に亘ってアンカーボルト２が固着され、このアンカーボルト２の上端部分２ａは上枠体４よりも上方に突出している。
前述のセットアンカー３の好ましい形状を説明するが、セットアンカー３はこの形状に限ることはない。
【００２２】
前記上枠体４と下枠体５は４つの枠材４ａ，５ａによって矩形状で、その各コーナー部に亘って４本の縦材６が溶接で固着されている。各枠材４ａ，５ａ、縦材６は断面鉤形状の長尺材であるが、これに限ることはない。
前記上枠体４の各枠材４ａと下枠体５の各枠材５ａとに亘ってアンカーボルト２が挿通して固着される。例えばアンカーボルト２の下端部分２ｂに上下のナット２ｃ，２ｄを螺合し、その上下のナット２ｃ，２ｄを下枠体５の枠材５ａの上下面に押しつけ挟持して固着する。各アンカーボルト２の上端部分２ａが上枠体４の枠材４ａよりも上方に突出している。
前記アンカーボルト２は、図２に示すようにＸ方向両側部にＹ方向一対のアンカーボルト２、Ｙ方向両側部にＸ方向一対のアンカーボルト２がそれぞれ設けられ、合計８本のアンカーボルト２が設けてある。
前記各アンカーボルト２の上端部分２ａにテンプレート７が取付けてある。
例えば、各アンカーボルト２の上端部分２ａに下ナット８ａをそれぞれ螺合し、前記テンプレート７の孔７ａを上端部分２ａに嵌め込んで下ナット８ａに当接してテンプレート７を上枠体４の上面と平行とし、各上端部分２ａに上ナット８ｂをそれぞれ螺合してテンプレート７を下ナット８ａと上ナット８ｂで挟持固定する。
前記テンプレート７は上枠体４と同じ大きさの矩形板状である。
【００２３】
前記セットアンカー３のＸＹ方向の中心を通りＸ方向に向かうＸ方向中心線３ａは、Ｘ方向両側部に設けられたＹ方向一対のアンカーボルト２の中心間を通る。
前記セットアンカー３のＸＹ方向の中心を通りＹ方向に向かうＹ方向中心線３ｂは、Ｙ方向両側部に設けられＸ方向一対のアンカーボルト２の中心間を通る。
そして、このＸ方向中心線３ａが後述する鋼管基礎杭のＸ方向通り心に合致することでセットアンカー３がＹ方向に位置決めされ、Ｙ方向中心線３ｂがＹ方向通り心に合致することでＸ方向に位置決めされる。
【００２４】
前記セットアンカー３は図４に示すように吊具１０によって吊り下げ支持される。
前記吊具１０は図５に示すように、一対の第１形材１１と一対の第２形材１２によってほぼ矩形状である。各形材は断面形状が上向きコ字状で、その各底壁１１ａ，１２ａに孔１３がそれぞれ形成されている。
前記一対の第１形材１１の一方の縦壁１１ｂにはフック取付用の穴１４が形成されている。
前記各孔１３に図４に示すように各アンカーボルト２の上端部分２ａが挿通し、サヤパイプ１５を嵌め込んで、ナット１６を螺合することで各アンカーボルト２を各枠材に固着することによって、セットアンカー３の上部に吊具１０を取付ける。
そして、各穴１４にフック１７を取付け、その各フック１７にクレーン等の吊りワイヤ１８を連結してクレーン等で吊り下げる。図４では１本のアンカーボルト２にのみサヤパイプ１５とナット１６が螺合してあり、他のアンカーボルト２にはサヤパイプ１５とナット１６の図示が省略してある。
【００２５】
このようであるから、セットアンカー３を吊具１０を用いることで安定して吊り下げできる。
また、セットアンカー３に吊具１０を取付けた状態では、そのセットアンカー３のＸ方向、Ｙ方向の中心と吊具１０のＸ方向、Ｙ方向の中心が一致し、その吊具１０を後述する鋼管基礎杭に対して位置決めすることで、セットアンカー３が鋼管基礎杭に対して位置決めされ、アンカーボルトがＸ方向、Ｙ方向に位置決めされる。
特に、この実施の形態ではアンカーボルト２の上端部分２ａに吊具１０を固着してあるから、セットアンカー３のＸ方向、Ｙ方向の中心と吊具１０のＸ方向、Ｙ方向の中心が正確に一致する。
【００２６】
前述のセットアンカー３を鋼管基礎杭内に位置決めして仮固定する位置決め治具について説明する。
図６と図７に示すように、鋼管基礎杭２０の上端面２０ａに載置されるパネル定規２１と、その鋼管基礎杭２０の上端部（頭部）に取付けられる取付治具３０と、この取付治具３０に取付けられるレベル架台４０と、このレベル架台４０に取付けられる位置決め用横材５０で位置決め治具を構成している。
好ましくは、鋼管基礎杭２０のＸ方向両側にＹ方向に離隔してそれぞれ取付けた４つの取付治具３０と、Ｘ方向両側に取付けた一対の取付治具３０に亘ってそれぞれ取付けたＹ方向に向かう一対のレベル架台４０と、この一対のレベル架台４０のＹ方向両側寄りに亘ってそれぞれ取付けたＸ方向に向かう一対の位置決め用横材５０を備えている。
【００２７】
前記パネル定規２１は、主として取付治具３０を位置決めするものであって、鋼管基礎杭２０の直径より若干長い板状で、そのＸ方向の両端部分に切欠部２２が形成され、この切欠部２２によって鋼管基礎杭２０の上端面２０ａが見えるようにしてある。
このパネル定規２１の上面には、この切欠部２２を基準としてＸ方向基準線２３が設けてあり、このＸ方向基準線２３と直角にＸ方向一対のＹ方向基準線２４が設けてある。
【００２８】
前記取付治具３０は、鋼管基礎杭２０の上端部（頭部）を挟持して取付けできる取付部３１と、この取付部３１に設けた取付用ボルト３２と、この取付用ボルト３２に螺合した下ナット３３、上ナット３４を備えている。
前記取付部３１は、コ字状の取付材３５と、その取付材３５の一方の縦片３５ａに螺合した押え用ボルト３６を備え、その取付材３５の横片３５ｃの下面を鋼管基礎杭２０の上端面２０ａに当接し、他方の縦片３５ｂと押え用ボルト３６で鋼管基礎杭２０の上端部を挟持して取付けられる。
このようであるから、溶接などせずに押え用ボルト３６を締め付け、弛めることで取付治具３０を取付け、取り外しでき、その取付治具３０を容易に取付け、取り外しできる。
前記取付用ボルト３２は横片３５ｃの上面に上向きに固着され、取付用ボルト３２は鋼管基礎杭２０よりも上方に突出する。
【００２９】
前記一対のレベル架台４０には、その長手方向両端寄りにボルト挿通部、例えば長手方向の長孔４１がそれぞれ形成してある。
この長孔４１に取付用ボルト３２が挿通し、レベル架台４０の下面が下ナット３３に当接し、上ナット３４をレベル架台４０の上面に押しつけてレベル架台４０を取付用ボルト３２に固定する。このレベル架台４０は鋼管基礎杭２０よりも上方に位置する。
このようであるから、下ナット３３の位置を調整することで横材４０の取付け高さを調整して高さ方向に位置決めできる。この操作は鋼管基礎杭２０よりも上方で行うので、その操作が容易で高精度に高さ方向に位置決めできる。
【００３０】
前記位置決め用横材５０は、レベル架台４０にＹ方向に位置決めして固着される。例えば、位置決め用横材５０は横片５０ａと縦片５０ｂで鉤形の断面形状で、その横片５０ａに第１孔５１、縦片５０ｂに第２孔５２が形成してある。
この第１孔５１と前記横材４０の孔４１に亘ってボルト５３を挿通し、ナット５４を螺合して横材４０に位置決め用横材５０を取付ける。
この位置決め用横材５０は鋼管基礎杭２０よりも上方に位置し、前述の位置決め、固着作業がやり易い。
【００３１】
次にアンカーボルトの設置方法の一例を説明する。
まず、鋼管基礎杭２０の上端部に、取付治具３０をパネル定規２１を用いて位置決めして取付ける。
例えば、図８（ａ），（ｂ）に示すように鋼管基礎杭２０の上端面２０ａにＸ方向の通り心と合致する目印ａを付す。
そして、図９（ａ），（ｂ）に示すように、鋼管基礎杭２０の上端面２０ａにパネル定規２１を載置し、そのＸ方向基準線２３を前記目印ａに合わせてパネル定規２１をＹ方向に位置決めする。
この後にパネル定規２１の一対のＹ方向基準線２４に合わせて取付治具３０を取付ける。これによって、取付治具３０はＸ方向、Ｙ方向に位置決めされる。
前述のＸ方向の通り心とは、鋼管基礎杭２０の中心を通りＸ方向に向かう中心線で、光波トランシットなどを用いて求め、目印ａを付す。なお、鋼管基礎杭２０がＸ方向に複数ある場合には、各鋼管基礎杭２０に亘ってＸ方向中心線を連続させる。
【００３２】
前記取付治具３０は、その取付用ボルト３２がＹ方向基準線２４に合致するように、パネル定規２１よりも両側方にそれぞれ取付ける。
なお、パネル定規２１のＸ方向基準線２３は一対の切欠部２２を通るようにしてあるので、その一対の切欠部２２を目印ａに合致することでパネル定規２１を位置決めでき、Ｘ方向基準線２３をパネル定規２１の表面に連続して付すことなしに一対の切欠部２２の切欠面２２ａによってＸ方向基準線２３とすることもできる。
また、一対のＹ方向基準線２４は、パネル定規２１を位置決めして載置した後に、付すようにしても良い。
【００３３】
前述のようにして取付治具３０を取付け完了したら、図１０（ａ），（ｂ）に示すように、その取付治具３０に一対のレベル架台４０を所定の同一高さで、水平姿勢としてそれぞれ取付ける。
例えば、Ｘ方向両側においてＹ方向に隣接した２つの取付治具３０の取付用ボルト３２にレベル架台４０の長孔４１をそれぞれ挿通して下ナット３３に接し、その下ナット３３を締め付け、弛めて上下に移動することでレベル架台４０の高さを調整して所定の同一高さで水平とし、上ナット３４を螺合して固定する。
これによって、一対のレベル架台４０はＸ方向に位置決めされる。
前記レベル架台４０の所定の高さとは、セットアンカー３の取付け高さに対応した高さである。
【００３４】
前述のレベル架台４０の長孔４１に取付用ボルト３２が挿通するからレベル架台４０の長手方向に異なる位置に取付用ボルト３２を挿通できると共に、取付治具３０は鋼管基礎杭２０の上端部を挟持して取付けられるから、その取付治具３０は鋼管基礎杭２０の任意の位置に取付けできる。
よって、レベル架台４０の取付位置を任意に変更できるし、大きさの異なる鋼管基礎杭２０にレベル架台４０を取付け可能である。
【００３５】
図１１（ａ），（ｂ）に示すように、一対のレベル架台４０に鋼管基礎杭２０のＸ方向通り心（前述の目印ａ）に合致する目印ｂを付す。例えば、前述のパネル定規２１を用い、そのＸ方向基準線２３に合致した位置に目印ｂをつける。
前記一対のレベル架台４０に、その目印ｂを中心として左右にＸ方向の第１位置決め用目印ｃ、第２位置決め用目印ｄを付す。これらの目印ｂ，ｃ，ｄは前述のパネル定規２１を用いて付しても良いし、前述のように光波トランシットを用いて付しても良い。
【００３６】
一方の位置決め用横材５０を第１位置決め用目印ｃに合わせて一対のレベル架台４０，４０間に亘って取付ける。
他方の位置決め用横材５０は、第２位置決め用目印ｄよりも離れた位置で一対のレベル架台４０間に亘って仮に載置する。
前述の第１・第２位置決め目印ｃ，ｄは、例えば、前述の吊具１０の一対の第１形材１１間の左右寸法に合わせて付す。
具体的には、一対の第１形材１１間の左右寸法の半分を、目印ｂから第１・第２位置決め目印ｃ，ｄまでの距離とする。
【００３７】
前述の図４に示すように、セットアンカー３に吊具１０を取付け、そのセットアンカー３をクレーン等で吊り上げ支持し、クレーン等を操作して下降することでセットアンカー３を、一対のレベル架台４０間と一対の位置決め用横材５０間から鋼管基礎杭２０内に挿入する。
そして、図１２（ａ），（ｂ）に示すように、吊具１０の一対の第１形材１１を一対のレベル架台４０上に接して載置すると共に、一方の第１形材１１を一方の位置決め用横材５０に当接する。
つまり、前記支持部材１は一対のレベル架台４０と一対の位置決め用横材５０で囲まれた空間よりも小さい大きさである。
この実施の形態では、他方の位置決め用横材５０が第２位置決め用目印ｄと離れた位置に載置してあるだけであるから、前述のようにセットアンカー３を鋼管基礎杭２０内に挿入する際に邪魔にならない。
【００３８】
図１３（ａ），（ｂ）に示すように、一方の第１形材１１と一方の位置決め用横材５０をボルト５５とナット５６で固着し、他方の位置決め用横材５０を他方の第１形材１１に押しつけてボルト５３とナット５４でレベル架台４０に固着し、かつボルト５５とナット５６で他方の第１形材１１に固着する。
これによって、セットアンカー３を鋼管基礎杭２０内に位置決めして挿入して仮固定できる。
【００３９】
前述のようにセットアンカー３を固定する際に、そのセットアンカー３の位置を確認するようにしても良い。
例えば、図１３（ａ），（ｂ）に仮想線で示すように、Ｘ方向の両側に位置するＹ方向一対のアンカーボルト２間にプレート６０を設け、そのプレート６０を基準としてＹ方向一対のアンカーボルト２の中心間を通るＸ方向中心線３ａと鋼管基礎杭２０のＸ方向の通り心（目印ａ，ａを結ぶ直線）が一致しているかをチェックする。つまり、セットアンカー３が鋼管基礎杭２０のＸ方向の通り心に一致しているかをチェックする。
このチェックは、光波トランシットで行うことが好ましいが、他の手段でも良い。
【００４０】
前述の中心線３ａとＸ方向の通り心が一致していない場合には、一対の位置決め用横材５０をレベル架台４０に沿って移動してセットアンカー３を移動して中心線３ａとＸ方向の通り心を一致させる。
このようにセットアンカー３の位置を確認する場合には、一対の位置決め用横材５０をレベル架台４０に仮固定してセットアンカー３を固定し、位置が一致していない場合に簡単に位置決め用横材５０を移動できるので好ましい。
【００４１】
また、セットアンカー３のＹ方向中心線３ｂが鋼管基礎杭２０のＹ方向の通り心に一致しているかをチェックする。
例えば、前述の光波トランシットを用いて前記一対のアンカーボルト２の中心までの距離Ｌを検出し、その距離Ｌが所定の値であれば一致しているとし、所定の値と異なる場合には一致していないとする。
そして、セットアンカー３が鋼管基礎杭２０のＹ方向の通り心に一致していない場合には、ボルト５５とナット５６を弛めて吊具１０の一対の第１形材１１を一対の位置決め用横材５０に沿って移動して一致させ、再びボルト５５とナット５６を締め付けて固定する。
この場合にも前述と同様にボルト５５とナット５６は仮締めしておくことが好ましい。
【００４２】
前述のようにセットアンカー３を鋼管基礎杭２０内に位置決めして固定した後に、鋼管基礎杭２０内にコンクリートを打設してセットアンカー３を鋼管基礎杭２０内に設置する。
この時、セットアンカー３のアンカーボルト２０の上端部２０ａにはサヤパイプ１５が嵌め込んであるから、コンクリートが付着したりしない。
【００４３】
そして、打設したコンクリートが固まった後に、各アンカーボルト２０の上端部２０ａに螺合したナット１６を弛めて吊具１０を取り外しすると共に、位置決め用横材５０、レベル架台４０、取付治具３０をそれぞれ取り外しする。
【図面の簡単な説明】
【００４４】
【図１】テンプレートを備えたセットアンカーの正面図である。
【図２】テンプレートを備えたセットアンカーの平面図である。
【図３】セットアンカーの斜視図である。
【図４】吊具を取付けたセットアンカーの斜視図である。
【図５】吊具の斜視図である。
【図６】（ａ）レベル架台と位置決め用横材の取付け状態の平面図である。            （ｂ）レベル架台と位置決め用横材の取付け状態の正面図である。
【図７】パネル定規、取付治具、レベル架台、位置決め用横材の分解斜視図である。
【図８】（ａ）目印を付した鋼管基礎杭の平面図である。            （ｂ）目印を付した鋼管基礎杭の正面図である。
【図９】（ａ）パネル定規と取付治具を設けた状態の鋼管基礎杭の平面図である。            （ｂ）パネル定規と取付治具を設けた状態の鋼管基礎杭の正面図である。
【図１０】（ａ）レベル架台を取付けた状態の鋼管基礎杭の平面図である。              （ｂ）レベル架台を取付けた状態の鋼管基礎杭の正面図である。
【図１１】（ａ）レベル架台と位置決め用横材を取付けた状態の鋼管基礎杭の平面図である。              （ｂ）レベル架台と位置決め用横材を取付けた状態の鋼管基礎杭の正面図である。
【図１２】（ａ）吊具とセットアンカーを挿入した状態の鋼管基礎杭の平面図である。              （ｂ）吊具とセットアンカーを挿入した状態の鋼管基礎杭の正面図である。
【図１３】（ａ）セットアンカーを取付け固定した状態の鋼管基礎杭の平面図である。              （ｂ）セットアンカーを取付け固定した状態の鋼管基礎杭の正面図である。
【符号の説明】
【００４５】
１…支持部材、２…アンカーボルト、３…セットアンカー、１０…吊具、１１…第１形材、１２…第２形材、２０…鋼管基礎杭、２０ａ…上端面、２１…パネル定規、２２…切欠部、２３…Ｘ方向基準線、２４…Ｙ方向基準線、３０…取付治具、３１…取付部、３２…取付用ボルト、３３…下ナット、３４…上ナット、４０…レベル架台、５０…位置決め用横材。
【図１】
2006002415.tif 000003
【図２】
2006002415.tif 000004
【図３】
2006002415.tif 000005
【図４】
2006002415.tif 000006
【図５】
2006002415.tif 000007
【図６】
2006002415.tif 000008
【図７】
2006002415.tif 000009
【図８】
2006002415.tif 000010
【図９】
2006002415.tif 000011
【図１０】
2006002415.tif 000012
【図１１】
2006002415.tif 000013
【図１２】
2006002415.tif 000014
【図１３】
2006002415.tif 000015